【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
第１の残留ヒドロキシル含量及び第１のガラス転移温度（Ｔｇ）を有する第１のポリ（ビニルブチラール）樹脂、並びに第２の残留ヒドロキシル含量及び第２のガラス転移温度（Ｔｇ）を有し、第１の残留ヒドロキシル含量と第２の残留ヒドロキシル含量との間の差は少なくとも１．０重量％であり、第１のガラス転移温度（Ｔｇ）と第２のガラス転移温度（Ｔｇ）との間の差は少なくとも１．５℃である第２のポリ（ビニルブチラール）樹脂；及び
可塑剤；
を含む２種類以上のポリ（ビニルブチラール）樹脂のブレンドを含む少なくとも１つの軟質層と；
第３の残留ヒドロキシル含量を有する第３のポリ（ビニルブチラール）樹脂；及び
可塑剤；
を含む少なくとも１つのより硬質の層と；
を含み；
第１のポリ（ビニルブチラール）樹脂、第２のポリ（ビニルブチラール）樹脂、及び可塑剤が混合及び溶融押出されることで少なくとも１つの軟質層が形成され、
（ＩＳＯ−１６９４０にしたがう機械インピーダンス測定によって測定して）１０℃、２０℃、及び３０℃から選択される２以上の異なる温度において測定して少なくとも０．１６の減衰損失係数（η）を有する、向上した遮音性を有するポリマー中間層。
【請求項２】
第２のポリ（ビニルブチラール）樹脂は５重量％〜５０重量％の量で存在する、請求項１に記載のポリマー中間層。
【請求項３】
第２のポリ（ビニルブチラール）樹脂は２５重量％〜５０重量％の量で存在する、請求項１に記載のポリマー中間層。
【請求項４】
ポリマー中間層の軟質層中のそれぞれの可塑化樹脂は２０．０℃未満のガラス転移温度（Ｔｇ）を有する、請求項１に記載のポリマー中間層。
【請求項５】
第３のポリ（ビニルブチラール樹脂）の残留ヒドロキシル含量は、第１のポリ（ビニルブチラール）樹脂又は第２のポリ（ビニルブチラール）樹脂の残留ヒドロキシル含量と同等である、請求項１に記載のポリマー中間層。
【請求項６】
第１の残留ヒドロキシル含量と第２の残留ヒドロキシル含量との間の差は、少なくとも２．０重量％である、請求項１に記載のポリマー中間層。
【請求項７】
第１の残留ヒドロキシル含量と第２の残留ヒドロキシル含量との間の差は、少なくとも３．０重量％である、請求項１に記載のポリマー中間層。
【請求項８】
第１のポリ（ビニルブチラール）樹脂と第２のポリ（ビニルブチラール）樹脂のガラス転移温度（Ｔｇ）の間の差は、少なくとも３．０℃である、請求項１に記載のポリマー中間層。
【請求項９】
第１の残留ヒドロキシル含量及び第１のガラス転移温度（Ｔｇ）を有する第１のポリ（ビニルブチラール）樹脂；
第２の残留ヒドロキシル含量及び第２のガラス転移温度（Ｔｇ）を有し、第１の残留ヒドロキシル含量と第２の残留ヒドロキシル含量との間の差は少なくとも１．０重量％であり、第１のガラス転移温度（Ｔｇ）と第２のガラス転移温度（Ｔｇ）との間の差は少なくとも１．５℃である第２のポリ（ビニルブチラール）樹脂；及び
可塑剤；
を含む２種類以上のポリ（ビニルブチラール）樹脂のブレンドを含む少なくとも１つの軟質層と；
第３の残留ヒドロキシル含量を有する第３のポリ（ビニルブチラール）樹脂；及び
可塑剤；
を含む少なくとも１つのより硬質の層と；
を含み；
第１のポリ（ビニルブチラール）樹脂、第２のポリ（ビニルブチラール）樹脂、及び可塑剤が混合及び溶融押出されることで少なくとも１つの軟質層が形成され、
（ＩＳＯ−１６９４０にしたがう機械インピーダンス測定によって測定して）１０℃、２０℃、及び３０℃から選択される２以上の異なる温度において測定して少なくとも０．１６の減衰損失係数（η）を有し、第２のポリ（ビニルブチラール）樹脂は５重量％〜５０重量％の量で存在する、向上した遮音性を有するポリマー中間層。
【請求項１０】
第１の残留ヒドロキシル含量及び第１のガラス転移温度（Ｔｇ）を有する第１のポリ（ビニルブチラール）樹脂、並びに第２の残留ヒドロキシル含量及び第２のガラス転移温度（Ｔｇ）を有し、第１の残留ヒドロキシル含量と第２の残留ヒドロキシル含量との間の差は少なくとも１．０重量％であり、第１のガラス転移温度（Ｔｇ）と第２のガラス転移温度（Ｔｇ）との間の差は少なくとも１．５℃である第２のポリ（ビニルブチラール）樹脂；及び
可塑剤；
を含む２種類以上のポリ（ビニルブチラール）樹脂のブレンドを含む少なくとも１つの軟質層と；
第３の残留ヒドロキシル含量を有する第３のポリ（ビニルブチラール）樹脂；及び
可塑剤；
を含む少なくとも１つのより硬質の層と；
を含み；
第１のポリ（ビニルブチラール）樹脂、第２のポリ（ビニルブチラール）樹脂、及び可塑剤が混合及び溶融押出されることで少なくとも１つの軟質層が形成され、
ポリマー中間層の軟質層中のそれぞれの可塑化樹脂は２０．０℃未満のガラス転移温度（Ｔｇ）を有する、向上した遮音性を有するポリマー中間層。
【請求項１１】
ポリ（ビニルブチラール）樹脂組成物及び可塑剤を含む硬質層と；
ポリ（ビニルブチラール）樹脂組成物及び可塑剤を含み、少なくとも０．４０の組成における分散度を有する軟質層と；
を含み；そして
ポリマー中間層は、（ＩＳＯ−１６９４０にしたがう機械インピーダンス測定によって測定して）１０℃、２０℃、及び３０℃から選択される２以上の異なる温度において測定して少なくとも０．１５の減衰損失係数（η）を有する、向上した遮音性を有するポリマー中間層。
【請求項１２】
軟質層中のポリ（ビニルブチラール）樹脂組成物は、第１の残留ヒドロキシル含量を有する第１のポリ（ビニルブチラール）樹脂、及び第２の残留ヒドロキシル含量を有する第２のポリ（ビニルブチラール）樹脂を含み、第１の残留ヒドロキシル含量と第２の残留ヒドロキシル含量との間の差は少なくとも１．０重量％である、請求項１１に記載のポリマー中間層。
【請求項１３】
軟質層中の樹脂組成物の組成における分散度は、軟質層中の第１のポリ（ビニルブチラール）樹脂の組成における分散度、及び軟質層中の第２のポリ（ビニルブチラール）樹脂の組成における分散度よりも高い、請求項１２に記載のポリマー中間層。
【請求項１４】
軟質層中のポリ（ビニルブチラール）樹脂組成物は、第１の残留酢酸ビニル含量を有する第１のポリ（ビニルブチラール）樹脂、及び第２の残留酢酸ビニル含量を有する第２のポリ（ビニルブチラール）樹脂を含み、第１の残留酢酸ビニル含量と第２の残留酢酸ビニル含量との間の差は少なくとも１．０モル％である、請求項１１に記載のポリマー中間層。
【請求項１５】
軟質層中の樹脂組成物の組成における分散度は、軟質層中の第１のポリ（ビニルブチラール）樹脂の組成における分散度、及び軟質層中の第２のポリ（ビニルブチラール）樹脂の組成における分散度よりも高い、請求項１４に記載のポリマー中間層。
【請求項１６】
ポリマー中間層の軟質層中の可塑化樹脂組成物は２０．０℃未満のガラス転移温度（Ｔｇ）を有する、請求項１１に記載のポリマー中間層。
【請求項１７】
請求項１１に記載のポリマー中間層の製造方法であって、
軟質層中の樹脂組成物は、第１の加水分解度を有する第１のポリ（ビニルアルコール）樹脂をブチルアルデヒドと反応させて反応混合物を形成し、第２の加水分解度を有する第２のポリ（ビニルアルコール）樹脂を反応混合物に加え、そして第２のポリ（ビニルアルコール）樹脂をブチルアルデヒドと反応させて、少なくとも０．４０の組成における分散度を有する樹脂を形成するプロセスによって製造される、ポリマー中間層の製造方法。
【請求項１８】
請求項１１に記載のポリマー中間層の製造方法であって、
軟質層中の樹脂組成物は、第１のポリ（ビニルアルコール）樹脂と第２のポリ（ビニルアルコール）樹脂組成物（ここで、第１のポリ（ビニルアルコール）樹脂及び第２のポリ（ビニルアルコール）樹脂組成物はそれぞれ１つの加水分解度を有し、第１のポリ（ビニルアルコール）樹脂と第２のポリ（ビニルアルコール）樹脂の加水分解度の間の差は少なくとも２％である）を混合して混合物を形成し、混合物をブチルアルデヒドと反応させて、少なくとも０．４０の組成における分散度を有する樹脂を製造するプロセスによって製造される、ポリマー中間層の製造方法。
【請求項１９】
ポリマー中間層は第２の硬質層を更に含み、軟質層は複数の硬質層に隣接して且つその間に配置されている、請求項１１に記載のポリマー中間層。
【請求項２０】
ポリ（ビニルブチラール）樹脂組成物及び可塑剤を含む硬質層と；
ポリ（ビニルブチラール）樹脂組成物を含み、組成における第１の分散度を有する第１のポリ（ビニルブチラール）樹脂、及び組成における第２の分散度を有する第２のポリ（ビニルブチラール）樹脂、及び可塑剤を含む軟質層と；
を含み；
軟質層は組成における第３の分散度を有し、組成における第３の分散度は少なくとも０．４０であり、組成における第３の分散度は、組成における第１の分散度及び組成における第２の分散度のいずれよりも高く；
ポリマー中間層は、（ＩＳＯ−１６９４０にしたがう機械インピーダンス測定によって測定して）１０℃、２０℃、及び３０℃から選択される２以上の異なる温度において測定して少なくとも０．１５の減衰損失係数（η）を有する、向上した遮音性を有するポリマー中間層。
【請求項２１】
組成における第３の分散度は、組成における第１の分散度よりも少なくとも１０％高く、組成における第２の分散度よりも少なくとも１０％高い、請求項２０に記載のポリマー中間層。
【請求項２２】
軟質層中のポリ（ビニルブチラール）樹脂組成物は、第１の残留ヒドロキシル含量を有する第１のポリ（ビニルブチラール）樹脂、及び第２の残留ヒドロキシル含量を有する第２のポリ（ビニルブチラール）樹脂を含み、第１の残留ヒドロキシル含量と第２の残留ヒドロキシル含量との間の差は少なくとも１．０重量％である、請求項２０に記載のポリマー中間層。
【請求項２３】
軟質層中のポリ（ビニルブチラール）樹脂組成物は、第１の残留酢酸ビニル含量を有する第１のポリ（ビニルブチラール）樹脂、及び第２の残留酢酸ビニル含量を有する第２のポリ（ビニルブチラール）樹脂を含み、第１の残留酢酸ビニル含量と第２の残留酢酸ビニル含量との間の差は少なくとも１．０モル％である、請求項２０に記載のポリマー中間層。
【請求項２４】
ポリマー中間層の軟質層中の可塑化樹脂組成物が２０．０℃未満のガラス転移温度（Ｔｇ）を有する、請求項２０に記載のポリマー中間層。
【請求項２５】
ポリマー中間層は第２の硬質層を更に含み、軟質層は複数の硬質層に隣接して且つその間に配置されている、請求項２０に記載のポリマー中間層。
【請求項２６】
ポリ（ビニルブチラール）樹脂組成物及び可塑剤を含む硬質層と；
ポリ（ビニルブチラール）樹脂組成物及び可塑剤を含み、軟質層の樹脂組成物は、８〜１６重量％の平均残留ヒドロキシル含量、及び少なくとも０．４０の組成における分散度を有する軟質層と；
を含み；
ポリマー中間層は、（ＩＳＯ−１６９４０にしたがう機械インピーダンス測定によって測定して）１０℃、２０℃、及び３０℃から選択される２以上の異なる温度において測定して少なくとも０．１５の減衰損失係数（η）を有する、向上した遮音性を有するポリマー中間層。
【請求項２７】
軟質層のポリ（ビニルブチラール）樹脂組成物は、１モル％〜２８モル％の平均残留酢酸ビニル含量を有する、請求項２６に記載のポリマー中間層。
【請求項２８】
軟質層中のポリ（ビニルブチラール）樹脂組成物は、第１の残留ヒドロキシル含量及び組成における第１の分散度を有する第１のポリ（ビニルブチラール）樹脂、並びに第２の残留ヒドロキシル含量及び組成における第２の分散度を有する第２のポリ（ビニルブチラール）樹脂を含み、第１の残留ヒドロキシル含量と第２の残留ヒドロキシル含量との間の差は少なくとも１．０重量％であり、軟質層は少なくとも０．４０の組成における第３の分散度を有し、組成における第３の分散度は、組成における第１の分散度及び組成における第２の分散度のいずれよりも高い、請求項２６に記載のポリマー中間層。
【手続補正２】
【補正対象書類名】明細書
【補正対象項目名】０１９４
【補正方法】変更
【補正の内容】
【０１９４】
[0204]更に、本発明の任意の単一の構成要素に関して与えられている任意の範囲、値、又は特徴は、互換的な場合には、本発明の任意の他の構成要素に関して与えられている任意の範囲、値、又は特徴と互換的に用いて、本明細書全体にわたって与えられているそれぞれの構成要素に関して規定されている値を有する一態様を形成することができることが理解される。例えば、与えられている任意の範囲の可塑剤を含むことに加えて、与えられている任意の範囲の残留ヒドロキシル含量を有するポリ（ビニルブチラール）を含む中間層を形成して、本発明の範囲内であるが、列記するのは煩雑である多くの変形体を形成することができる。更に、フタレート又はベンゾエートのような属又はカテゴリーに関して与えられている範囲はまた、他に示していない限りにおいて、ジオクチルテレフタレートのようなカテゴリーの属又は構成要素の中の種に適用することもできる。
本発明は以下の実施態様を含む。
（１）第１の残留ヒドロキシル含量及び第１のガラス転移温度（Ｔｇ）を有する第１のポリ（ビニルブチラール）樹脂、並びに第２の残留ヒドロキシル含量及び第２のガラス転移温度（Ｔｇ）を有し、第１の残留ヒドロキシル含量と第２の残留ヒドロキシル含量との間の差は少なくとも１．０重量％であり、第１のガラス転移温度（Ｔｇ）と第２のガラス転移温度（Ｔｇ）との間の差は少なくとも１．５℃である第２のポリ（ビニルブチラール）樹脂；及び
可塑剤；
を含む少なくとも１つの軟質層と；
第３の残留ヒドロキシル含量を有する第３のポリ（ビニルブチラール樹脂）；及び
可塑剤；
を含む少なくとも１つのより硬質の層と；
を含み；
（ＩＳＯ−１６９４０にしたがう機械インピーダンス測定によって測定して）１０℃、２０℃、及び３０℃から選択される２以上の異なる温度において測定して少なくとも０．１５の減衰損失係数（η）を有する、向上した遮音性を有するポリマー中間層。
（２）第２のポリ（ビニルブチラール）樹脂は５重量％〜５０重量％の量で存在する、（１）に記載のポリマー中間層。
（３）軟質層は少なくとも０．４０の組成における分散度を有する、（１）に記載のポリマー中間層。
（４）第１の残留ヒドロキシル含量及び第１のガラス転移温度（Ｔｇ）を有する第１のポリ（ビニルブチラール）樹脂；
第２の残留ヒドロキシル含量及び第２のガラス転移温度（Ｔｇ）を有し、第１の残留ヒドロキシル含量と第２の残留ヒドロキシル含量との間の差は少なくとも１．０重量％であり、第１のガラス転移温度（Ｔｇ）と第２のガラス転移温度（Ｔｇ）との間の差は少なくとも１．５℃である第２のポリ（ビニルブチラール）樹脂；及び
可塑剤；
を含む少なくとも１つの軟質層と；
第３の残留ヒドロキシル含量を有する第３のポリ（ビニルブチラール樹脂）；及び
可塑剤；
を含む少なくとも１つのより硬質の層と；
を含み；
（ＩＳＯ−１６９４０にしたがう機械インピーダンス測定によって測定して）１０℃、２０℃、及び３０℃から選択される２以上の異なる温度において測定して少なくとも０．１５の減衰損失係数（η）を有し、第２のポリ（ビニルブチラール）樹脂は５重量％〜５０重量％の量で存在する、向上した遮音性を有するポリマー中間層。
（５）軟質層は少なくとも０．４０の組成における分散度を有し、ポリマー中間層の軟質層中のそれぞれの可塑化樹脂は２０．０℃未満のガラス転移温度（Ｔｇ）を有する、（４）に記載のポリマー中間層。
（６）第１の残留ヒドロキシル含量及び第１のガラス転移温度（Ｔｇ）を有する第１のポリ（ビニルブチラール）樹脂、並びに第２の残留ヒドロキシル含量及び第２のガラス転移温度（Ｔｇ）を有し、第１の残留ヒドロキシル含量と第２の残留ヒドロキシル含量との間の差は少なくとも１．０重量％であり、第１のガラス転移温度（Ｔｇ）と第２のガラス転移温度（Ｔｇ）との間の差は少なくとも１．５℃である第２のポリ（ビニルブチラール）樹脂；及び
可塑剤；
を含む少なくとも１つの軟質層と；
第３の残留ヒドロキシル含量を有する第３のポリ（ビニルブチラール樹脂）；及び
可塑剤；
を含む少なくとも１つのより硬質の層と；
を含み；
ポリマー中間層の軟質層中のそれぞれの可塑化樹脂は２０．０℃未満のガラス転移温度（Ｔｇ）を有する、向上した遮音性を有するポリマー中間層。
（７）軟質層は少なくとも０．４０の組成における分散度を有し、ポリマー中間層は、（ＩＳＯ−１６９４０にしたがう機械インピーダンス測定によって測定して）１０℃、２０℃、及び３０℃から選択される２以上の異なる温度において測定して少なくとも０．１５の減衰損失係数（η）を有する、（６）に記載のポリマー中間層。
（８）ポリ（ビニルブチラール）樹脂組成物及び可塑剤を含む硬質層と；
ポリ（ビニルブチラール）樹脂組成物及び可塑剤を含み、少なくとも０．４０の組成における分散度を有する軟質層と；
を含み；そして
ポリマー中間層は、（ＩＳＯ−１６９４０にしたがう機械インピーダンス測定によって測定して）１０℃、２０℃、及び３０℃から選択される２以上の異なる温度において測定して少なくとも約０．１５の減衰損失係数（η）を有する、向上した遮音性を有するポリマー中間層。
（９）軟質層中のポリ（ビニルブチラール）樹脂組成物は、第１の残留ヒドロキシル含量を有する第１のポリ（ビニルブチラール）樹脂、及び第２の残留ヒドロキシル含量を有する第２のポリ（ビニルブチラール）樹脂を含み、第１の残留ヒドロキシル含量と第２の残留ヒドロキシル含量との間の差は少なくとも１．０重量％である、（８）に記載のポリマー中間層。
（１０）第１のポリ（ビニルブチラール）樹脂は第１のガラス転移温度（Ｔｇ）を有し、第２のポリ（ビニルブチラール）樹脂は第２のガラス転移温度（Ｔｇ）を有し、第１のガラス転移温度（Ｔｇ）と第２のガラス転移温度（Ｔｇ）との間の差は少なくとも１．５℃である、（９）に記載のポリマー中間層。
（１１）軟質層中の樹脂組成物の組成における分散度は、軟質層中の第１のポリ（ビニルブチラール）樹脂の組成における分散度、及び軟質層中の第２のポリ（ビニルブチラール）樹脂の組成における分散度よりも高い、（８）に記載のポリマー中間層。
（１２）軟質層中のポリ（ビニルブチラール）樹脂組成物は、第１の残留酢酸ビニル含量を有する第１のポリ（ビニルブチラール）樹脂、及び第２の残留酢酸ビニル含量を有する第２のポリ（ビニルブチラール）樹脂を含み、第１の残留酢酸ビニル含量と第２の残留酢酸ビニル含量との間の差は少なくとも１．０モル％である、（８）に記載のポリマー中間層。
（１３）軟質層中の樹脂組成物は、第１の加水分解度を有する第１のポリ（ビニルアルコール）樹脂をブチルアルデヒドと反応させて反応混合物を形成し、第２の加水分解度を有する第２のポリ（ビニルアルコール）樹脂を反応混合物に加え、そして第２のポリ（ビニルアルコール）樹脂をブチルアルデヒドと反応させて、少なくとも０．４０の組成における分散度を有する樹脂を形成するプロセスによって製造される、（８）に記載のポリマー中間層。
（１４）軟質層中の樹脂組成物は、第１のポリ（ビニルアルコール）樹脂と第２のポリ（ビニルアルコール）樹脂組成物（ここで、第１のポリ（ビニルアルコール）樹脂及び第２のポリ（ビニルアルコール）樹脂組成物はそれぞれ１つの加水分解度を有し、第１のポリ（ビニルアルコール）樹脂と第２のポリ（ビニルアルコール）樹脂の加水分解度の間の差は少なくとも２％である）を混合して混合物を形成し、混合物をブチルアルデヒドと反応させて、少なくとも０．４０の組成における分散度を有する樹脂を製造するプロセスによって製造される、（８）に記載のポリマー中間層。
（１５）ポリマー中間層は第２の硬質層を更に含み、軟質層は複数の硬質層に隣接して且つその間に配置されている、（８）に記載のポリマー中間層。
（１６）ポリ（ビニルブチラール）樹脂組成物及び可塑剤を含む硬質層と；
ポリ（ビニルブチラール）樹脂組成物を含み、組成における第１の分散度を有する第１のポリ（ビニルブチラール）樹脂、及び組成における第２の分散度を有する第２のポリ（ビニルブチラール）樹脂、及び可塑剤を含む軟質層と；
を含み；
軟質層は組成における第３の分散度を有し、組成における第３の分散度は少なくとも０．４０であり、組成における第３の分散度は、組成における第１の分散度及び組成における第２の分散度のいずれよりも高く；
ポリマー中間層は、（ＩＳＯ−１６９４０にしたがう機械インピーダンス測定によって測定して）１０℃、２０℃、及び３０℃から選択される２以上の異なる温度において測定して少なくとも約０．１５の減衰損失係数（η）を有する、向上した遮音性を有するポリマー中間層。
（１７）組成における第３の分散度は、組成における第１の分散度よりも少なくとも１０％高く、組成における第２の分散度よりも少なくとも１０％高い、（１６）に記載のポリマー中間層。
（１８）ポリ（ビニルブチラール）樹脂組成物及び可塑剤を含む硬質層と；
ポリ（ビニルブチラール）樹脂組成物及び可塑剤を含み、軟質層の樹脂組成物は、約８〜約１６重量％の平均残留ヒドロキシル含量、及び少なくとも０．４０の組成における分散度を有する軟質層と；
を含み；
ポリマー中間層は、（ＩＳＯ−１６９４０にしたがう機械インピーダンス測定によって測定して）１０℃、２０℃、及び３０℃から選択される２以上の異なる温度において測定して少なくとも約０．１５の減衰損失係数（η）を有する、向上した遮音性を有するポリマー中間層。
（１９）ポリマー中間層は第２の硬質層を更に含み、軟質層は複数の硬質層に隣接して且つその間に配置されている、（１８）に記載のポリマー中間層。
（２０）軟質層中のポリ（ビニルブチラール）樹脂組成物は、第１の残留ヒドロキシル含量及び組成における第１の分散度を有する第１のポリ（ビニルブチラール）樹脂、並びに第２の残留ヒドロキシル含量及び組成における第２の分散度を有する第２のポリ（ビニルブチラール）樹脂を含み、第１の残留ヒドロキシル含量と第２の残留ヒドロキシル含量との間の差は少なくとも１．０重量％であり、軟質層は少なくとも０．４０の組成における第３の分散度を有し、組成における第３の分散度は、組成における第１の分散度及び組成における第２の分散度のいずれよりも高い、（１８）に記載のポリマー中間層。